(57)【要約】【課題】記録媒体を無駄にせず容易且つ速やかにノズルからのインク吐出不良の有無を検査することの出来るインクジェット記録装置及びインク吐出不良の検出方法を提供する。【解決手段】複数のノズルから各々インクを吐出させて記録媒体上に画像を形成するインクジェット記録装置において、複数のノズルからインクを吐出させて、所定濃度のハーフトーン画像をテスト画像として出力させる画像形成制御部と、テスト画像を読み取る読取部と、読み取られたテスト画像の濃淡に基づいてノズルからの吐出不良の有無を判別する解析部と、を備える。【選択図】図４
2015058602.tif 000002
【特許請求の範囲】
【請求項１】
複数のノズルから各々インクを吐出させて記録媒体上に画像を形成するインクジェット記録装置であって、
前記複数のノズルからインクを吐出させて、所定濃度のハーフトーン画像をテスト画像として出力させる画像形成制御部と、
前記テスト画像を読み取る読取部と、
読み取られた前記テスト画像の濃淡に基づいてノズルからの吐出不良の有無を判別する解析部と
を備えることを特徴とするインクジェット記録装置。
【請求項２】
前記画像形成制御部は、前記記録媒体上における通常の画像の形成領域外に前記テスト画像を形成させることを特徴とする請求項１記載のインクジェット記録装置。
【請求項３】
前記記録媒体を所定の搬送方向に搬送する搬送部を備え、
前記通常の画像は、前記テスト画像とは異なる検査用途に係る他の検査用画像であり、
当該検査用画像は、前記搬送方向と直交する方向に分割された複数のブロックごとに当該複数のブロックと同数形成され、
前記解析部は、前記テスト画像により前記ブロックごとに前記ノズルからの吐出不良の有無を判別する
ことを特徴とする請求項２記載のインクジェット記録装置。
【請求項４】
前記画像形成制御部は、前記通常の画像と、当該通常の画像の形成に用いられるインクによる前記テスト画像とを前記記録媒体の同一面に出力させることを特徴とする請求項２又は３記載のインクジェット記録装置。
【請求項５】
前記テスト画像を構成するドットのドット占有率が２０％以上６０％以下の値であることを特徴とする請求項１〜４の何れか一項に記載のインクジェット記録装置。
【請求項６】
前記記録媒体を所定の搬送方向に搬送する搬送部を備え、
前記テスト画像の前記搬送方向への長さは、前記ハーフトーン画像の単位長さの５０％以上１００％未満であることを特徴とする請求項５記載のインクジェット記録装置。
【請求項７】
前記画像形成制御部は、前記解析部により前記テスト画像にインク吐出不良が有ると判別された場合に、当該インク吐出不良に係る不良ノズルを特定するための不良ノズル特定画像を出力させ、
前記解析部は、前記読取部によって読み取られた当該不良ノズル特定画像を解析して前記不良ノズルを特定する
ことを特徴とする請求項１〜６の何れか一項に記載のインクジェット記録装置。
【請求項８】
前記解析部により特定された前記不良ノズルを記憶する不良ノズル記憶部を備え、
前記解析部は、前回の前記不良ノズル特定画像から検出されて記憶された前記不良ノズルと、今回検出された不良ノズルとを比較して新たな不良ノズルを同定する
ことを特徴とする請求項７記載のインクジェット記録装置。
【請求項９】
前記画像形成制御部は、前記特定された不良ノズルのインク吐出範囲に係る所定の近接範囲内にあるノズルによるインクの吐出量及び吐出頻度のうち少なくとも何れか一方を調整して、前記不良ノズルの影響を補間しながら前記テスト画像を出力させることを特徴とする請求項７又は８記載のインクジェット記録装置。
【請求項１０】
前記画像形成制御部は、前記解析部により前記テスト画像から新たにインクの吐出不良が検出された場合に、当該吐出不良が検出された範囲内のノズルのうち何れかが前記通常の画像の形成に使用されたか否かを判別し、使用されていないと判別された場合には、前記不良ノズル特定画像を形成させずに次の通常の画像の形成を行わせることを特徴とする請求項７〜９の何れか一項に記載のインクジェット記録装置。
【請求項１１】
前記画像形成制御部は、前記記録媒体上に形成される通常の画像で使用されるインクのみを用いて前記テスト画像を出力させることを特徴とする請求項１〜９の何れか一項に記載のインクジェット記録装置。
【請求項１２】
前記記録媒体を所定の搬送方向に搬送する搬送部を備え、
前記複数のノズルは、前記記録媒体における前記搬送方向に直交する方向の長さに対して部分的に重複して配置されており、
前記画像形成制御部は、前記記録媒体の搬送方向に直交する方向の各位置でインクの吐出量が略均等となるように前記複数のノズルからのインク吐出量を調節して前記テスト画像を形成させる
ことを特徴とする請求項１〜１１の何れか一項に記載のインクジェット記録装置。
【請求項１３】
前記画像形成制御部は、前記複数のノズルのシェーディング特性が補正された前記テスト画像を出力させることを特徴とする請求項１〜１２の何れか一項に記載のインクジェット記録装置。
【請求項１４】
複数のノズルから各々インクを吐出させて記録媒体上に画像を形成するインクジェット記録装置における前記複数のノズルのインク吐出不良の検出方法であって、
前記複数のノズルからインクを吐出させて、所定濃度のハーフトーン画像をテスト画像として出力させる画像形成制御ステップ、
前記テスト画像を読み取る読取ステップ、
読み取られた前記テスト画像の濃淡に基づいてノズルからの吐出不良の有無を判別する解析ステップ、
を含むことを特徴とするインク吐出不良の検出方法。
【発明の詳細な説明】
【技術分野】
【０００１】
この発明は、インクジェット記録装置及びインク吐出不良の検出方法に関する。
【背景技術】
【０００２】
複数個配列されたノズルから各々インクを記録媒体に対して吐出させることで、当該記録媒体上に画像を形成するインクジェット記録装置がある。このインクジェット記録装置では、ノズルからのインク吐出不良が形成画像の質の低下に繋がる。従って、従来、定期的にノズルからの吐出状態の検査が行われている。また、インクジェット記録装置では、この検査結果に基づき、隣接するノズルからのインク吐出量を調整することにより、ノズルからのインク吐出不良による形成画像の質の低下を補う技術がある。
【０００３】
ノズルのインク吐出不良に係る検査には、記録媒体上に形成されたテスト画像を撮像し、当該撮像データを解析する方式のものがある。この方式のインク吐出不良検査では、従来、各ノズルから吐出されて記録媒体上に着弾した液滴のドットまたはラインを各々個別に検査する方式が用いられる。しかしながら、画像形成の高速化や形成画像の高精度化などにより、個々の着弾範囲に対応する精度での撮像を低コストで行うことが困難であったり、隣接する液滴の着弾範囲が重複して分別が困難であったりするという問題がある。
【０００４】
そこで、特許文献１には、隣接するノズルからのインク吐出タイミングをずらして格子状や梯子状にテスト画像を形成し、各々の撮像データを解析する技術が開示されている。また、特許文献２には、ノズルから吐出されるインク液滴の着弾範囲と撮像範囲とが一致しない場合に、各撮像範囲に対応するノズルからの着弾面積の重み付けにより期待値を算出しておき、この期待値と撮像データに基づく実測値との差によりインク吐出不良を起こしているノズルを同定する技術について開示されている。
【先行技術文献】
【特許文献】
【０００５】
【特許文献１】特開２００２−７９６６３号公報
【特許文献２】特開２００６−１９９０４８号公報
【発明の概要】
【発明が解決しようとする課題】
【０００６】
しかしながら、インク吐出不良の有無の検出に従来のテスト画像を形成して利用すると、記録媒体上に形成される画像のサイズが大きくなってしまい、また、計算やデータ伝送の手間が余計にかかってしまう。従って、実際にインクの吐出不良が発生する頻度を考慮すると、多くの場合には、記録媒体が無駄に消費され、また、毎回処理が煩雑になるという課題がある。また、記録媒体の通常の画像形成範囲外、即ち、余白領域にテスト画像を形成する場合には、このテスト画像を複数の記録媒体に分割して形成する必要が生じ、テストが完了するまでに時間を要するという課題がある。
【０００７】
この発明の目的は、記録媒体を無駄にせず容易且つ速やかにノズルからのインク吐出不良の有無を検査することの出来るインクジェット記録装置及びインク吐出不良の検出方法を提供することにある。
【課題を解決するための手段】
【０００８】
本発明は、上記目的を達成するため、請求項１記載の発明は、
複数のノズルから各々インクを吐出させて記録媒体上に画像を形成するインクジェット記録装置であって、
前記複数のノズルからインクを吐出させて、所定濃度のハーフトーン画像をテスト画像として出力させる画像形成制御部と、
前記テスト画像を読み取る読取部と、
読み取られた前記テスト画像の濃淡に基づいてノズルからの吐出不良の有無を判別する解析部と
を備えることを特徴としている。
【０００９】
請求項２記載の発明は、請求項１記載のインクジェット記録装置において、
前記画像形成制御部は、前記記録媒体上における通常の画像の形成領域外に前記テスト画像を形成させることを特徴としている。
【００１０】
請求項３記載の発明は、請求項２記載のインクジェット記録装置において、
前記記録媒体を所定の搬送方向に搬送する搬送部を備え、
前記通常の画像は、前記テスト画像とは異なる検査用途に係る他の検査用画像であり、
当該検査用画像は、前記搬送方向と直交する方向に分割された複数のブロックごとに当該複数のブロックと同数形成され、
前記解析部は、前記テスト画像により前記ブロックごとに前記ノズルからの吐出不良の有無を判別する
ことを特徴としている。
【００１１】
請求項４記載の発明は、請求項２又は３記載のインクジェット記録装置において、
前記画像形成制御部は、前記通常の画像と、当該通常の画像の形成に用いられるインクによる前記テスト画像とを前記記録媒体の同一面に出力させることを特徴としている。
【００１２】
請求項５記載の発明は、請求項１〜４の何れか一項に記載のインクジェット記録装置において、
前記テスト画像を構成するドットのドット占有率が２０％以上６０％以下の値であることを特徴としている。
【００１３】
請求項６記載の発明は、請求項５記載のインクジェット記録装置において、
前記記録媒体を所定の搬送方向に搬送する搬送部を備え、
前記テスト画像の前記搬送方向への長さは、前記ハーフトーン画像の単位長さの５０％以上１００％未満であることを特徴としている。
【００１４】
請求項７記載の発明は、請求項１〜６の何れか一項に記載のインクジェット記録装置において、
前記画像形成制御部は、前記解析部により前記テスト画像にインク吐出不良が有ると判別された場合に、当該インク吐出不良に係る不良ノズルを特定するための不良ノズル特定画像を出力させ、
前記解析部は、前記読取部によって読み取られた当該不良ノズル特定画像を解析して前記不良ノズルを特定する
ことを特徴としている。
【００１５】
請求項８記載の発明は、請求項７記載のインクジェット記録装置において、
前記解析部により特定された前記不良ノズルを記憶する不良ノズル記憶部を備え、
前記解析部は、前回の前記不良ノズル特定画像から検出されて記憶された前記不良ノズルと、今回検出された不良ノズルとを比較して新たな不良ノズルを同定する
ことを特徴としている。
【００１６】
請求項９記載の発明は、請求項７又は８記載のインクジェット記録装置において、
前記画像形成制御部は、前記特定された不良ノズルのインク吐出範囲に係る所定の近接範囲内にあるノズルによるインクの吐出量及び吐出頻度のうち少なくとも何れか一方を調整して、前記不良ノズルの影響を補間しながら前記テスト画像を出力させることを特徴としている。
【００１７】
請求項１０記載の発明は、請求項７〜９の何れか一項に記載のインクジェット記録装置において、
前記画像形成制御部は、前記解析部により前記テスト画像から新たにインクの吐出不良が検出された場合に、当該吐出不良が検出された範囲内のノズルのうち何れかが前記通常の画像の形成に使用されたか否かを判別し、使用されていないと判別された場合には、前記不良ノズル特定画像を形成させずに次の通常の画像の形成を行わせることを特徴としている。
【００１８】
請求項１１記載の発明は、請求項１〜９の何れか一項に記載のインクジェット記録装置において、
前記画像形成制御部は、前記記録媒体上に形成される通常の画像で使用されるインクのみを用いて前記テスト画像を出力させることを特徴としている。
【００１９】
請求項１２記載の発明は、請求項１〜１１の何れか一項に記載のインクジェット記録装置において、
前記記録媒体を所定の搬送方向に搬送する搬送部を備え、
前記複数のノズルは、前記記録媒体における前記搬送方向に直交する方向の長さに対して部分的に重複して配置されており、
前記画像形成制御部は、前記記録媒体の搬送方向に直交する方向の各位置でインクの吐出量が略均等となるように前記複数のノズルからのインク吐出量を調節して前記テスト画像を形成させる
ことを特徴としている。
【００２０】
請求項１３記載の発明は、請求項１〜１２の何れか一項に記載のインクジェット記録装置において、
前記画像形成制御部は、前記複数のノズルのシェーディング特性が補正された前記テスト画像を出力させることを特徴としている。
【００２１】
請求項１４記載の発明は、
複数のノズルから各々インクを吐出させて記録媒体上に画像を形成するインクジェット記録装置における前記複数のノズルのインク吐出不良の検出方法であって、
前記複数のノズルからインクを吐出させて、所定濃度のハーフトーン画像をテスト画像として出力させる画像形成制御ステップ、
前記テスト画像を読み取る読取ステップ、
読み取られた前記テスト画像の濃淡に基づいてノズルからの吐出不良の有無を判別する解析ステップ、
を含むことを特徴としている。
【発明の効果】
【００２２】
本発明に従うと、インクジェット記録装置において、記録媒体を無駄にせず容易且つ速やかにノズルからのインク吐出不良の有無を検査することが出来るという効果がある。
【図面の簡単な説明】
【００２３】
【図１】本発明の実施形態のインクジェット記録装置を示す全体構成を示す図である。
【図２】インクジェット記録装置の内部構成を説明するブロック図である。
【図３】インクジェットヘッドの記録媒体との対向面を示す底面図である。
【図４】吐出不良検出動作に係るテスト画像が含まれる形成画像の例を示す図である。
【図５】各濃度で１ノズル欠けを発生させたハーフトーン画像を形成した場合におけるノズル欠けのある描画領域とノズル欠けのない描画領域との間のコントラストを示す図である。
【図６】１ノズル欠けの検出に対する欠変化チャートの長さの影響を示す図表である。
【図７】補正設定処理の制御手順を示すフローチャートである。
【図８】吐出不良検出動作に係るテスト画像が含まれる形成画像の他の例を示す図である。
【図９】階調補正処理の制御手順を示すフローチャートである。
【発明を実施するための形態】
【００２４】
以下、本発明の実施の形態を図面に基づいて説明する。
図１は、本実施形態のインクジェット記録装置１００の全体構成を示す図である。また、図２は、インクジェット記録装置１００の内部構成を説明するブロック図である。
【００２５】
このインクジェット記録装置１００は、搬送部１１と、インクジェットヘッド１２と、画像読取部１３（読取部）と、制御部１４（画像形成制御部、解析部）と、操作表示部１５などを備える。
【００２６】
搬送部１１は、搬送ベルト１１２と、搬送ベルト１１２を周回移動させる搬送モーター１１１などを備える。搬送ベルト１１２上に配置された記録媒体Ｐは、搬送モーター１１１の回転動作により所定の搬送方向に移動する。或いは、搬送部１１は、円筒状の搬送ドラムを回転させることで、当該搬送ドラムの表面に配置された記録媒体Ｐを回転方向に移動させる構成であっても良い。
【００２７】
インクジェットヘッド１２は、記録媒体Ｐの搬送面に対向して開口部が配列された複数のノズルと、駆動回路１２１と、インク吐出部１２２とを有する。インクジェットヘッド１２では、制御部１４からの制御信号に基づいて駆動回路１２１から出力される駆動電圧によりインク吐出部１２２が動作することで、複数のノズルの開口部からタイミング制御されてインクが吐出される。この吐出されたインクが搬送される記録媒体Ｐ上に着弾して画像が形成される。このインクジェットヘッド１２は、特には限られないが、ここでは、ラインヘッドであり、搬送方向に垂直な幅方向に対し、記録媒体Ｐの画像形成可能な幅に亘ってインクを吐出可能にノズルが配列されている。また、この複数のノズルは、例えば、Ｙ（イエロー）、Ｍ（マジェンタ）、Ｃ（シアン）、Ｋ（ブラック）の４色のインクをそれぞれ独立に吐出可能に設けられている。
【００２８】
図３は、インクジェットヘッド１２における記録媒体Ｐとの対向面（底面）を示す底面図である。
このインクジェットヘッド１２には、複数のヘッドモジュール１２０が幅方向に千鳥配置で配列されている。これらのヘッドモジュール１２０には、それぞれ複数のノズルが配列されており、各々幅方向端部に設けられたノズルは、他のヘッドモジュール１２０の幅方向端部に設けられたノズルと幅方向の位置が重複するように配置されている。このような配置により、全体として幅方向に切れ目無くインクが吐出可能となっている。各色のインクを吐出するノズルは、例えば、幅方向に１２００ｄｐｉ（dot per inch）でそれぞれ配列されており、即ち、隣接するノズルの幅方向の間隔（ピッチ）は、約２１μｍである。一つのノズルから吐出されるインクの液滴が記録媒体Ｐに着弾することによって形成されるドット（着弾範囲）の大きさ（直径）は、ここでは、約６０μｍである。即ち、隣接するノズルから吐出されるインクの記録媒体Ｐ上における着弾範囲は、互いに重複する。
【００２９】
画像読取部１３は、記録媒体Ｐの搬送面に対向し、その搬送方向についてインクジェットヘッド１２の下流側に配置されたイメージセンサー１３１を有する。
このイメージセンサー１３１は、例えば、光電変換を用いた撮像素子であるＣＣＤ（Charge Coupled Device）やＣＭＯＳセンサーが記録媒体Ｐの幅方向に亘り複数個配列されて一次元画像が取得されるラインセンサーである。また、カラー（ＣＭＹＫ）出力可能なインクジェットヘッド１２に対応し、形成画像を複数の波長成分ごと、例えば、Ｒ（レッド）、Ｇ（グリーン）、Ｂ（ブルー）の３波長でそれぞれ取得可能となっている。
このイメージセンサー１３１の各撮像素子による読み取り解像度（画素配列）は、例えば、幅方向に６００ｄｐｉである。また、イメージセンサー１３１は、このインクジェット記録装置１００における通常の記録媒体Ｐの搬送速度に対して搬送方向に３００ｄｐｉでの読取データを制御部１４に出力可能となっている。即ち、このイメージセンサー１３１は、ノズルの配列に対応する解像度で画像を取得するものではない。
【００３０】
制御部１４は、図２に示すように、メモリー１４１、ＣＰＵ（Central Processing Unit）１４２、ＲＯＭ（Read Only Memory）１４３、ＲＡＭ（Random Access Memory）１４４などを備え、これらがそれぞれバス１４５に接続されて、インクジェット記録装置１００の各部の間でデータのやり取りが可能に構成されている。また、制御部１４は、通信部１６を介して外部のプリントサーバーやパーソナルコンピューター（ＰＣ）といった電子計算機や記憶デバイスと接続され、プリントジョブや印刷対象の画像データなどの送受信を行う。
【００３１】
メモリー１４１は、外部のコンピューターや記憶デバイスから入力された印刷対象の画像データを一時的に記憶する。メモリー１４１には、インクジェットヘッド１２の複数のノズルのうち検査により吐出不良と同定されたノズル（不良ノズル）の位置データ及びその補間設定がテーブル記憶された不良ノズル記憶部１４１ａが含まれている。
【００３２】
ＣＰＵ１４２は、インクジェット記録装置１００の全体動作を統括制御し、各種演算処理を行う。ＣＰＵ１４２は、ＲＯＭ１４３から読み出されたプログラムに従って搬送部１１、インクジェットヘッド１２及び画像読取部１３に制御信号を出力し、画像形成に係る各種処理を行う。ここで、このＣＰＵ１４２は、１つのプロセッサーが集中制御することとしても良いし、搬送部１１による記録媒体Ｐの搬送制御やインクジェットヘッド１２の駆動制御といった各種制御処理にそれぞれ特化した個別のプロセッサーを備えるものであっても良い。
【００３３】
ＲＯＭ１４３には、画像形成に係る制御プログラムや初期設定データが格納されている。インクジェット記録装置１００の動作時には、ＣＰＵ１４２が制御プログラムを読み出してＲＡＭ１４４上で実行したり、初期設定データを参照したりする。この初期設定データには、ノズル検査や調整の内容に応じたテスト画像データ１４３ａが含まれる。
【００３４】
ＲＡＭ１４４は、ＣＰＵ１４２に作業用のメモリー空間を提供し、一時データを記憶する。また、イメージセンサー１３１により撮像された検査用画像のデータは、ＲＡＭ１４４に一時記憶されて、当該撮影されたテストチャートに対応する検査、例えば、インクの吐出不良に係るノズルの検出に用いられる。
【００３５】
操作表示部１５は、ＣＰＵ１４２からの制御信号に応じた表示を行わせる表示パネルと、外部からの入力操作を受け付ける操作キーとを備える。表示パネルは、特に限られないが、例えば、液晶ディスプレイ（ＬＣＤ）である。また、操作キーの代わりに、或いは、操作キーと共に、ＬＣＤのパネルに積層配置されたタッチセンサーを備えてタッチパネルとして用いることで、表示と操作受付とを併用する構成であっても良い。
【００３６】
次に、本実施形態のインクジェット記録装置１００におけるノズルのインク吐出不良検査の動作内容について説明する。
本実施形態のインク吐出不良検査では、先ず、インク吐出不良の有無を検出する吐出不良検出動作が行われ、インク吐出不良が検出された場合に必要に応じて、インク吐出不良を起こしているノズルを特定する不良ノズル特定動作が行われる。
【００３７】
図４は、本実施形態の吐出不良検出動作に係るテスト画像が含まれる形成画像の例を示す図である。
【００３８】
図４（ａ）に示すように、プリントジョブに係る画像形成対象の画像（通常の画像）を形成する範囲として設定された領域（通常の画像の形成領域）の先端及び末尾には、余白領域（通常の画像の形成領域外）が設けられる。そして、これらの余白領域のうち何れか、ここでは、先頭の余白領域にＣＭＹＫ各色のインクについてそれぞれインク吐出不良の有無に係る検査を行うためのテスト画像である欠変化チャートＣ２１〜Ｃ２４が形成される。これらの欠変化チャートＣ２１〜Ｃ２４は、インクジェットヘッド１２における各色のインクを吐出するノズルが配置された幅に対応して各々幅方向に帯状に形成される。
【００３９】
図４（ｂ）には、図４（ａ）におけるテスト画像の一部を拡大して示す。
この欠変化チャートＣ２１〜Ｃ２４のテスト画像には、各色のインクでそれぞれ所定の濃度（階調）のハーフトーン画像が用いられる。このハーフトーンの階調は、例えば、２５６階調の各色を表現するための単位領域として設定される２５６ドット（単位長さ）×２５６ドットの領域におけるドット占有率として定義する。つまり、ドット占有率３０％とは、２５６×２５６ドットを構成する画素（６５５３６画素）のうち、１９６６０画素が占有されていることを意味する。ハーフトーンの種類としては、ディザ法や誤差拡散法などの様々なハーフトーン画像を適用可能である。
ハーフトーン画像に係るインクの吐出有無は、このハーフトーン画像の搬送方向における濃度の積算値に基づいて定められる。このようにすることで、面積で階調を表現するハーフトーンパターンの情報と濃度情報とをほぼ同等の情報として捉えることが出来る。これらの欠変化チャートのデータは、ＲＯＭ１４３のテスト画像データ１４３ａから読み出され、各ノズルからハーフトーンパターンで指定される位置にインクが順番に吐出されてハーフトーン画像が形成される。また、このハーフトーンパターンとしては、理想的には、公知のノズル欠補正、シェーディング補正などが施されているものが好ましい。これにより、後述するイメージセンサー１３１は、ノズル欠損の情報や液量のばらつきの情報などを考慮せずに、吐出不良を起こしているノズルがあるか否かを判別することが出来る。
即ち、インクジェット記録装置１００では、印刷する画像データの階調値が同じであっても各ノズルから吐出される液適量にばらつきが生じる。ノズルごとの吐出量のばらつきは、形成画像の濃度にばらつきを生じさせる。この濃度のばらつきをなくすために、各ノズルに対して濃度を均一化する補正であるシェーディング補正が実施される。具体的には、ノズルごとのばらつきに応じてノズルからのインク吐出量を調整する。
【００４０】
インクジェット記録装置１００では、このハーフトーン画像から、吐出された個々のインク液滴によるドットではなく、イメージセンサー１３１により判別可能な各読取領域（読取範囲）における濃度の代表的な値を求める。そして、これら読取領域間での濃淡が検出されて、各読取領域にインクの吐出不良を起こしているノズルがあるか否かを判別する。
【００４１】
このとき、インク吐出不良の検出では、今回の画像における各読取領域の濃度と、前回の吐出不良検出動作に係る画像における各読取領域の濃度との差分を取ることとしても良い。この場合には、既に吐出不良が発生しているノズルに係るインク吐出の補間を行った状態の欠変化チャートＣ２１〜Ｃ２４の画像形成を行わせることが出来る。
一方、インク吐出の補間を行わないで欠変化チャートＣ２１〜Ｃ２４の画像形成を行わせることも出来る。この場合、今回の濃淡異常検出位置と前回の濃淡異常検出位置とを比較して、新たな異常発生箇所及び異常の態様が変化した箇所についてのみ不良ノズル特定動作を行っても良い。
【００４２】
ハーフトーン画像の濃度及び各ハーフトーン画像の搬送方向への長さとしては、上記の検出方法に適したものが選択される。
図５は、２５６階調の濃度の中から選択された１６階調の各濃度で形成したハーフトーン画像と、当該１６階調の各濃度に対してそれぞれ１ノズル欠けを発生させたハーフトーン画像を形成した場合とのコントラスト（階調差）を示す図である。ここで、横軸は、正規化されたインクの付着量（ドット占有率）、即ち、全てのノズルのうちインクを吐出したノズルの割合を示す。本実施形態では、横軸の値「１」は、ドット占有率が１００％であることを表しており、インク量８．６ｍｌ・ｍ−２に相当する。
【００４３】
ハーフトーン画像におけるドット占有率と濃度とは、実際には、単純に比例しない。ドット占有率が低い場合（低階調）や高い場合（高階調）と比較して、ドット占有率が中間の値の場合には、ノズル欠けが生じた場合における濃度の変化が大きく現れる。ここでは、ドット占有率が２０％〜６０％程度の場合、より好ましくは、３０％程度の場合に、ノズル欠け部分と正常部分とのコントラストが大きく生じ、本実施例で使用しているスキャナーの２５６階調における１３〜１５階調程度の差となっていることが分かる。即ち、インクの着弾していない記録媒体面が残る場合や、インクの着弾範囲の重複部分が多い場合には、コントラストの差が生じ難い。従って、ここでは、ドット占有率が３０％のハーフトーン画像が用いられる。この２０％〜６０％程度のドット占有率では、濃度が１２０〜２００階調の高階調側に寄ったハーフトーン画像が形成される。この対応関係は、吐出されるインクのドット径に大きく依存する。例えば、ドット径が本実施例のものより大きい場合には、高濃度の部分では、ドット同士の重なる領域が本実施例の場合と比較して多くなる。このような場合、コントラストが最も高くなるドット占有率の範囲は、図５で示した範囲よりもドット占有率が低い側にシフトする。
【００４４】
一方、画像読取部１３におけるノズル欠け検出に係る処理では、各読取領域のハーフトーン画像の大きさは、記録媒体Ｐの搬送方向への長さに比例し、各読取領域のハーフトーン濃度の代表値のばらつきは、当該長さの増加に従って減少する。
【００４５】
図６は、１ノズル欠けの検出に対する欠変化チャートの長さの影響を示す図表である。
上述のように、本実施例では、２５６×２５６ドットで構成されたディザマトリクスを使用しており、一辺あたりの長さは、約５．４ｍｍである。この長さは、搬送方向に３００ｄｐｉで画像を取得するイメージセンサー１３１において６４画素分に相当する。
この図６に示すように、このハーフトーン画像では、１４０ドット（ハーフトーンパターンの単位長さに対して１４０／２５６）、即ち、３５画素以上の長さがあれば、十分なコントラストが得られる（○）。一方で、１２０ドット（ハーフトーンパターンの単位長さに対して１２０／２５６）、即ち、３０画素の長さのハーフトーン画像では、若干コントラストが低下する（△）結果が得られている。従って、単位領域長さ（ハーフトーン画像の単位長さ）の１／２周期（約２．７ｍｍ）分程度の長さでハーフトーン画像が形成されることが望ましい。一方、ハーフトーン画像の長さを延ばしていっても、コントラストが更に大きくなる訳では無い。
但し、これは、ディザ法に限らず、誤差拡散法でも適用可能である。なぜならば、このハーフトーン周期は、結局、所定のドット占有率におけるハーフトーンパターンの空間周波数に影響を受けるからである。その場合でも同様に、搬送方向の長さとそのコントラストとの関係から最適な搬送方向の長さを算出するのが望ましい。
【００４６】
ここで、ハーフトーン画像におけるドット占有率が３０％とは異なる場合には、十分なコントラストを得るために必要な長さも異なるので、適切に設定される。具体的には、ドット占有率が３０％よりも低い場合には、必要な長さを大きくする。但し、ドット占有率が低過ぎると、余白領域の大きさに比較して必要な長さが大きくなり過ぎるので、ドット占有率は、この点も考慮して適切な範囲内、例えば、必要な長さが単位領域長さを超えない範囲で設定される。
１ノズル欠け領域と正常なインク吐出領域との間の階調差（コントラスト）は、図５で示したように、ドット占有率により定まる。しかしながら、形成されたハーフトーン画像のサイズ、ハーフトーンのパターン、及びハーフトーンの濃度に応じて、各ノズルからのドット占有率（吐出回数）は、多くの場合で、正確に等しい値とはならない。ハーフトーン画像の形成にディザ法や誤差拡散法が用いられた場合には、搬送方向の長さ（ハーフトーン周期）によってノズルごとにドット数の差が生じ得る。この影響は、各ノズルのインク吐出回数が多くなるのに従って、即ち、ハーフトーン画像が長くなるのに従って（反比例して）相対的に小さくなり、無視可能になる。図５の結果では、３０％のドット占有率に対して１４０ドット、即ち、各ノズルから４７回程度のインク吐出がなされることで、インク吐出の回数が増減しても、求められるコントラストには影響が生じないことを示している。また、搬送方向への長さを更に延ばした場合、このインク吐出回数に係るコントラストの改善効果は小さくなり、一方で、画像形成領域が広くなって余計に記録媒体を消費するので、ハーフトーン画像の長さは、必要以上に長いよりも、適切な値で留める方が好ましい。
【００４７】
本実施形態の欠変化チャートを用いたハーフトーン画像の解析では、イメージセンサー１３１で撮影されたテスト画像の各画素値が各読取領域で積分、平均化された階調値と、背景値としてメディアンフィルターを用いて当該読取領域より広い範囲で取得された値とを比較する。このメディアンフィルターでは、解析対象の読取領域を中心として幅方向に所定数の読取領域で得られた階調値のメディアン（中央値）を取得する。そして、本実施形態の解析では、各画素列の階調値が背景値よりも所定の基準値以上小さい場合に、当該画素が含まれる領域にノズル欠けが生じていると判断する。
【００４８】
背景値としてメディアンを求めるための読取領域数（タップ数）は、適宜定められる。タップ数が大きくなるに従ってメディアンの精度が上がり、より確実にノズル欠けが検出可能となる一方で、計算時間が増大する。従って、タップ数は、記録媒体Ｐの搬送速度、読取データの転送速度やＣＰＵ１４２の計算速度や負荷などに応じて可能な範囲で精度が良くなるように設定される。ここでは、例えば、タップ数として２０が設定される。
【００４９】
なお、背景値を求めるためのノイズ除去フィルターとしては、メディアンフィルターに限られない。メディアンフィルターは、一般的に、一ノズル欠けのような局所的な大きな変化の検出が精度良く行われるが、他のフィルター、例えば、移動平均値や空間周波数フィルター（低域通過フィルターなど）を用いても検出を行うことが可能である。
【００５０】
図７は、本実施形態の制御部１４により実行される補正設定処理の制御手順を示すフローチャートである。
【００５１】
この補正設定処理は、インク吐出不良検査及び特定された不良ノズルが吐出するはずのインク吐出量を補間するための設定を行う処理であり、所定の間隔、例えば、各記録媒体Ｐに画像が形成されるごとに毎回自動的に実行される。
【００５２】
補正設定処理が開始されると、先ず、制御部１４（ＣＰＵ）は、欠変化チャートに係るハーフトーン画像の不良検出がなされていない状態であるか否かを判別する（ステップＳ１１）。ハーフトーン画像の不良検出がなされていない状態である、即ち、前回までの補正設定処理でインク吐出不良の検出がなされていない又は検出されたインク吐出不良部分の補間設定が既に行われていると判別された場合には（ステップＳ１１で“ＹＥＳ”）、制御部１４は、今回取得されたハーフトーン画像を解析してインク吐出不良の検出を行う（ステップＳ１２）。
【００５３】
制御部１４は、インク吐出不良が検出されたか否かを判別する（ステップＳ１３）。吐出不良が検出されなかったと判別された場合には（ステップＳ１３で“ＮＯ”）、制御部１４による処理は、そのまま終了する。吐出不良が検出されたと判別された場合には（ステップＳ１３で“ＹＥＳ”）、制御部１４は、欠位置特定チャートを出力する命令を行う（ステップＳ１４）。そして、制御部１４は、補正設定処理を終了する。
【００５４】
一方、ステップＳ１１の判別処理で、ハーフトーン画像の不良検出がなされていない状態ではないと判別された場合には（ステップＳ１１で“ＮＯ”）、制御部１４は、ハーフトーン画像においてインク吐出に係る不良検出がなされているか否かを判別する（ステップＳ２１）。ハーフトーン画像においてインク吐出に係る不良検出がなされているのではないと判別された場合には（ステップＳ２１で“ＮＯ”）、その他の異常状態であり、制御部１４の処理は、当該異常に対応する処理に移行する。
【００５５】
ハーフトーン画像においてインク吐出に係る不良検出がなされている状態である、即ち、前回までの補間設定処理でインク吐出不良が検出されて未だ補間設定がなされていないと判別された場合には（ステップＳ２１で“ＹＥＳ”）、制御部１４は、ステップＳ１４で出力された命令に基づいて画像形成がなされた欠位置特定チャートのイメージセンサー１３１による撮像データを読み込む（ステップＳ２２）。この欠位置特定チャート（不良ノズル特定画像）は、ノズル毎に梯子状や格子状にインクを吐出させた周知のテスト画像であり、従来と同様にドット欠け位置を特定するためのものである。欠位置特定チャートは、テスト画像データ１４３ａに含まれて予め設定記憶されている。
【００５６】
制御部１４は、読み込まれた欠位置特定チャートの撮像データを解析して、インク吐出不良に係るドット欠位置を特定する（ステップＳ２３）。また、制御部１４は、このドット欠け位置からインクの吐出不良を起こしている不良ノズルを同定する。制御部１４は、特定されたドット欠位置におけるインク付着量を補間する設定を行う（ステップＳ２４）。制御部１４は、不良ノズルに近接するノズルのインク吐出量を変更することで、この補間を行う。或いは、インク吐出量の変更設定のみではインク付着量の異常を解消出来ない場合には、制御部１４は、画像形成動作を中止させ、操作表示部１５にクリーニング動作やインクジェットヘッドの交換を促す表示を行わせることも出来る。そして、制御部１４は、補正設定処理を終了する。
【００５７】
なお、ノズルからのインク吐出不良が検出された場合、制御部１４は、ステップＳ１３の判別処理において、当該検出がなされた記録媒体Ｐについてインク吐出不良が検出されたノズルが含まれる領域及びインク色で通常の画像の形成が行われているか否かを判別し、画像形成が行われていない場合には、問題無しとしてステップＳ１４の処理に移行しないこととしても良い。
【００５８】
図８は、本実施形態の吐出不良検出動作に係るテスト画像が含まれる形成画像の他の例を示す図である。
【００５９】
この欠変化チャートのテスト画像は、他のテスト画像（検査用画像）、ここでは、例えば、階調補正処理に係るテストチャートと同一の記録媒体Ｐ上に形成されている。このテスト画像は、幅方向に同一のテストチャートＣ３１〜Ｃ３６が６列並列に形成されており、その上部の余白領域に幅方向に亘って欠変化チャートＣ２１〜Ｃ２４の画像形成がなされている。
【００６０】
この実施形態では、欠変化チャートにおいてテストチャートＣ３１〜Ｃ３６の幅方向の範囲にそれぞれ対応する各ブロックＲ３１〜Ｒ３６の撮像データが解析されて、当該ブロックＲ３１〜Ｒ３６にそれぞれインク吐出不良を生じている不良ノズルが含まれているか否かを判別する。そして、ブロックＲ３１〜Ｒ３６のうち、４色のインクに係る欠変化チャートＣ２１〜Ｃ２４の何れにも不良ノズルが含まれずに正常な画像形成がなされたブロックの何れかに対応するテストチャートＣ３１〜Ｃ３６を選択して用いることで、階調補正処理が行われる。
【００６１】
図９は、制御部１４により実行される階調補正処理の制御手順を示すフローチャートである。
【００６２】
この階調補正処理において、欠位置特定チャートに係るステップＳ１４及びステップＳ２２〜Ｓ２４の処理は、補正設定処理における処理と同一であり、同一の符号を付して詳しい説明を省略する。
【００６３】
階調補正処理が開始されると、先ず、制御部１４は、欠変化チャートに係るハーフトーン画像で、ブロックＲ３１〜Ｒ３６のうち、画像の不良が検出されていないブロックがあるか否か、即ち、前回までの階調補正処理でブロックＲ３１〜Ｒ３６の少なくとも一つにおいて、インク吐出不良が検出されていないか又は検出されたインク吐出不良が既に補間設定されているかを判別する（ステップＳ３１）。ブロックＲ３１〜Ｒ３６のうち画像の不良が検出されていないブロックがあると判別された場合には（ステップＳ３１で“ＹＥＳ”）、制御部１４は、今回取得されたハーフトーン画像にブロックＲ３１〜Ｒ３６の範囲を設定する（ステップＳ３２）。次いで、制御部１４は、設定されたこれらのブロックＲ３１〜Ｒ３６のそれぞれについて、インクの吐出不良に係る画像の不良を検出する（ステップＳ３３）。
【００６４】
制御部１４は、全てのブロックＲ３１〜Ｒ３６において画像の不良が検出されたか否かを判別する（ステップＳ３４）。全てのブロックＲ３１〜Ｒ３６において画像の不良が検出されたと判別された場合には（ステップＳ３４で“ＹＥＳ”）、制御部１４の処理は、ステップＳ１４に移行する。
【００６５】
全てのブロックＲ３１〜Ｒ３６において画像の不良が検出されてはいないと判別された場合には（ステップＳ３４で“ＮＯ”）、制御部１４は、画像の不良が検出されなかったブロックに対応するテストチャート、即ち、階調補正チャートのうち１つを所定の方法で選択し、当該選択されたテストチャートを用いて階調補正を行う（ステップＳ３６）。テストチャートの選択方法は、適宜定めることが出来る。例えば、制御部１４は、インク吐出に係る画像の不良が検出されなかった最も左側（ブロックＲ３１の側）のブロックに対応するテストチャートを選択することが出来る。階調補正が終了すると、制御部１４は、階調補正処理を終了する。
【００６６】
ステップＳ３１の判別処理で、ブロックＲ３１〜Ｒ３６のうち画像の不良が検出されていないブロックがないと判別された場合には（ステップＳ３１で“ＮＯ”）、制御部１４は、全てのブロックＲ３１〜Ｒ３６でインクの吐出不良が検出されている状態であるか否かを判別する（ステップＳ４１）。
全てのブロックＲ３１〜Ｒ３６でインクの吐出不良が検出されている状態ではないと判別された場合には（ステップＳ４１で“ＮＯ”）、その他の異常に係る状態であり、制御部１４は、当該異常に対応した処理を行う。
【００６７】
全てのブロックＲ３１〜Ｒ３６で吐出不良が検出されている状態であると判別された場合には（ステップＳ４１で“ＹＥＳ”）、制御部１４の処理は、ステップＳ２２に移行する。この場合には、制御部１４は、ステップＳ２２〜Ｓ２４の処理でノズル欠けの補間設定を行って一度階調補正処理を終了した後に、再度階調補正処理を開始するように制御することが出来る。
【００６８】
以上のように、本実施形態のインクジェット記録装置１００は、画像読取部１３と、制御部１４とを備える。制御部１４は、複数のノズルからインクを吐出させて、所定濃度のハーフトーン画像を欠変化チャートとして出力させ、画像読取部１３により読み取られたこの欠変化チャートの濃淡に基づいてノズルからの吐出不良の有無を判別する。従って、毎回不良ノズル特定チャートを出力しなくても容易且つ速やかにノズルからの吐出不良の有無に係る検査を行うことが出来る。これにより、検査のためのインク吐出量やテスト画像の形成に必要な記録媒体Ｐの面積を節約することが出来る。また、通常では、ノズルからの吐出不良の有無の検出のみを行うので、煩雑な処理を必要とせず、従って、ＣＰＵ１４２の負荷を上げずに高速且つ簡便に判別処理を行うことが出来る。
【００６９】
また、制御部１４は、記録媒体Ｐ上における通常の画像の形成領域外、即ち、余白領域に欠変化チャートを形成させるので、欠変化チャートのために不要に記録媒体Ｐを消費する必要が無い。また、ユーザーは、全ての記録媒体Ｐに対応付けて容易にインク吐出不良の有無を知得することが出来る。
【００７０】
また、通常の画像として、欠変化チャートとは異なる検査用途に係る他のテストチャートを搬送部１１による搬送方向と直交する幅方向に分割された複数のブロックごとに複数個形成し、制御部１４によりノズル吐出不良が無いと判別されたブロックのうちの何れかに形成されたテストチャートを用いて検査を行うことが出来る。従って、記録媒体Ｐを無駄にせずに、容易且つインク吐出不良の影響を受けない確実な検査を行うことが出来る。
【００７１】
また、通常の画像と、この通常の画像の形成に用いられるインクによる欠変化チャートとを記録媒体Ｐの同一面に出力させるので、通常の画像には影響を与えずに、不良ノズルが生じたときに問題の生じた記録媒体Ｐを速やかに知得して、容易に当該記録媒体Ｐのみを廃棄したり、補間設定後などに再度の画像形成を行わせたりすることが出来る。
【００７２】
また、ノズル欠チャートの画像形成に係るドット占有率を２０％以上６０％以下とすることで、ノズル欠けによるインク吐出量変化に応じてコントラスト良く濃度の変化を行わせてより精度良く検出を行うことが出来る。
【００７３】
また、ノズル欠チャートに係るハーフトーン画像は、その単位長さの５０％以上１００％未満とすることで、コントラストを低下させない範囲で使用する紙幅を抑えて効率良く不良ノズルの有無の検出を行うことが出来る。
【００７４】
また、ノズル欠チャートの解析によりインク吐出不良が有ると判別された場合に、別途欠位置特定チャートを出力させて、画像読取部１３により読み取られた画像に基づいて不良ノズルを特定する。即ち、実際に欠位置特定チャートにより特定される不良ノズルがある場合にのみ欠位置特定チャートを出力させるので、無駄に記録媒体Ｐを消費せずに、通常では、インク吐出不良の有無だけを確認することが出来る。
【００７５】
また、特定された不良ノズルを記憶する不良ノズル記憶部１４１ａを備え、前回の不良ノズル特定画像から検出されて記憶された不良ノズルと、今回検出された不良ノズルとを比較することで、新たに生じた不良ノズルを同定する。従って、補間処理で対応可能なノズルについては、一度補間設定が行われた後には、対応する必要がないと同時に、新しく生じた不良ノズルに係る補間設定を、既に検出されている不良ノズルや補間設定の影響を考慮しながら容易に行うことが出来る。
【００７６】
また、特定された不良ノズルのインク着弾範囲が重複するような所定の近接範囲内にあるノズルによるインクの吐出量及び吐出頻度のうち少なくとも何れか一方を調整して、不良ノズルの影響を補間しながら欠変化チャートを出力させるので、実際のインクの吐出制御に即して不良ノズルの影響が出ているか否かを検査することが出来る。
【００７７】
また、欠変化チャートから新たにインクの吐出不良が検出された場合に、その吐出不良が検出された範囲内のノズルのうち少なくとも何れかが通常の画像の形成に使用されたか否かを判別し、使用されていないと判別された場合には、欠位置特定チャートを形成させずに次の通常の画像の形成を行わせる。従って、新たにインクの吐出不良が検出された場合であっても、当該検出がなされた画像の質に全く影響を及ぼさない範囲での吐出不良の場合には、そのまま通常の画像形成を中断せずに続行するので、ユーザーに不要な待ち時間を与えずに画像形成に係る処理を速やかに進めることが出来る。
【００７８】
また、欠変化チャートは、記録媒体Ｐ上に形成される通常の画像で使用されるインクのみを用いて出力させることとするので、画像形成に用いられない検査まで毎回行うことによる無駄なインクの消費や検査時間の浪費を抑えることが出来る。
【００７９】
また、複数のヘッドモジュール１２０の底面に各々形成されたノズル孔は、千鳥配置で隣接するヘッドモジュール１２０の両端のノズルが重なるように配置されており、全てのノズルから等量インクを吐出させると幅方向における当該位置のインク濃度が濃くなる構成である。従って、欠変化チャートの画像形成の場合にも、当該重なる位置のインク濃度が他の複数のノズル位置が重ならない部分のインク濃度と等しくなるように各ノズルからのインク吐出量を予め制御しておく。これにより、やはり実際の画像形成に係るインクの吐出に即しながら容易にインク吐出不良を検出することが出来、また、困難なく複数のヘッドモジュール１２０をインクジェットヘッド１２に取り付け配置することが出来る。
【００８０】
また、複数のノズルに係るシェーディング特性が補正されたテスト画像を出力させてインク吐出不良の検出を行うので、各ノズルのインク吐出量のばらつきを考慮せずに容易にノズルからのインク吐出不良の検出を行うことが出来る。
【００８１】
インクジェット記録装置１００における複数のノズルのインク吐出不良の検出に際し、上述のように、ハーフトーン画像を形成して、撮影されたこのハーフトーン画像の濃淡に基づいてノズルの吐出不良の有無を判断するので、精密且つスペースや手間のかかる検査用の画像である不良ノズル特定画像を用いずに、画像が形成された各記録媒体Ｐに対して容易にノズル吐出不良の有無を知得することが出来る。
【００８２】
なお、本発明は、上記実施の形態に限られるものではなく、様々な変更が可能である。
例えば、上記実施の形態では、欠変化チャートを記録媒体Ｐの先頭の余白領域に形成することとしたが、これに限られず、末尾の余白領域などに形成しても良い。
また、記録媒体Ｐの両面に画像形成を行う場合には、まとめて一箇所、例えば、裏面の末尾に形成することで、一括して検査を行うこととしても良い。また、両面の画像形成の向きが反転する場合であって、当該両面に欠変化チャートを形成する場合には、表裏の略同一位置に欠変化チャートが形成されるように、それぞれ記録媒体の先頭の余白領域と末尾の余白領域とに欠変化チャートが出力される設定としても良い。
【００８３】
また、上記実施の形態では、ラインヘッドのインクジェットヘッド１２を例に挙げて説明したが、シリアルヘッドのインクジェットヘッドを有するインクジェット記録装置であっても本発明を適用することが出来る。
【００８４】
また、上記実施の形態では、ＣＭＹＫ４色のインクを備え、これら４色のインクに対して各々欠変化チャートを形成することとしたが、これに限られない。インクの色の数は異なっても良い。また、常に４色のインクについて欠変化チャートを形成する必要は無く、例えば、当該欠変化チャートが形成される記録媒体上に形成される通常の画像で用いられる色のインクについてのみ、欠変化チャートを形成することとしても良い。
【００８５】
また、ＣＭＹＫのインクで形成された画像をイメージセンサー１３１によりＲＧＢの波長で撮像する場合、ＹとＣとでは、分光特性が異なるので、共通の欠変化チャートを形成してそれぞれの波長で個別に撮像を行うこととしても良い。
【００８６】
また、上記実施の形態では、通常の画像を形成したり他のテストチャートを画像形成したりする記録媒体Ｐに欠変化チャートを形成する場合について説明したが、他の場合、例えば、専用のテスト用紙に欠変化チャートを形成する場合であっても、当該テスト用紙のサイズを変更したり形成された欠変化チャートを消去することで再利用可能なテスト用紙を用いたりする場合には、テスト用紙の必要量を軽減しながら容易且つ確実にノズルの吐出不良を検出することが出来る。
【００８７】
また、上記実施の形態では、吐出不良ノズルに係る画像の不良が検出された場合や、その後更に当該画像の不良が検出された読取領域で当該インクが使用される場合に欠位置特定チャートを出力することとしたが、その他の場合、例えば、画像の不良が検出された読取領域で当該インクが使用されないままプリントジョブが途切れて待機状態に移行する前などにも欠位置特定チャートを出力させることが可能である。一方、他のテストチャートと共に出力される場合には、全ての読取領域で画像の不良が検出された場合に限らず、一部の読取領域で画像の不良が検出された場合であっても、当該テストチャートに係る補正処理が終了した後に欠位置特定チャートを出力させて、ノズル欠の補間に係る設定を行っても良い。
その他、上記実施の形態で示した構成、構造、制御手順や数値などの具体的な細部は、本発明の趣旨を逸脱しない範囲において適宜変更可能である。
【符号の説明】
【００８８】
１１   搬送部
１１１ 搬送モーター
１１２ 搬送ベルト
１２   インクジェットヘッド
１２０ ヘッドモジュール
１２１ 駆動回路
１２２ インク吐出部
１３   画像読取部
１３１ イメージセンサー
１４   制御部
１４１ メモリー
１４１ａ      不良ノズル記憶部
１４２ ＣＰＵ
１４３ ＲＯＭ
１４３ａ      テスト画像データ
１４４ ＲＡＭ
１４５ バス
１５   操作表示部
１６   通信部
１００ インクジェット記録装置
Ｃ２１-Ｃ２４ 欠変化チャート
Ｃ３１-Ｃ３６ テストチャート
Ｐ     記録媒体
Ｒ３１-Ｒ３６ ブロック
【図１】
2015058602.tif 000003
【図２】
2015058602.tif 000004
【図３】
2015058602.tif 000005
【図５】
2015058602.tif 000006
【図６】
2015058602.tif 000007
【図７】
2015058602.tif 000008
【図８】
2015058602.tif 000009
【図９】
2015058602.tif 000010
【図４】
2015058602.tif 000011